(57)【要約】【課題】外観上の見栄えを良くする。【解決手段】ランプソケット２を具備した器具本体１と、筒状に形成されたセード３とを備える。器具本体１の大径部５の側面には３つのねじ孔５ａが等間隔に設けられており、各ねじ孔５ａには支持柱１０の雄ねじ部１０ａが螺合させてある。セード３は円筒形に形成され、被係止部たる貫通孔３ａが貫設されている。支持柱１０の係止部１０ｂをセード３の貫通孔３ａに挿入することで被係止部たる貫通孔３ａに係止部１０ｂを係止すれば、器具本体１に固定された支持柱１０によってセード３を支持させることができる。このとき、支持柱１０の係止部１０ｂが貫通孔３ａを通してセード３の外側面に突出しないように係止部１０ｂの寸法を設定しているから、従来例に比較して外観上の見栄えを良くすることができる。【選択図】　　　　図１
2004047313.tif 000002
【特許請求の範囲】
【請求項１】
ランプソケットを具備する器具本体と、筒状に形成されて器具本体が内部に収納されるセードと、基端が器具本体に固定されるとともにセードの内側面に設けられた被係止部に係止する係止部を先端に具備する１乃至複数の支持柱とを備え、支持柱の係止部がセードの外側面から突出しない構造としたことを特徴とする照明器具。
【請求項２】
支持柱は、器具本体に対してセードと接離する方向へ進退自在に取り付けられることを特徴とする請求項１記載の照明器具。
【請求項３】
被係止部はセードを内外に貫通する貫通孔からなることを特徴とする請求項１又は２記載の照明器具。
【請求項４】
セードをガラス製としたことを特徴とする請求項３記載の照明器具。
【請求項５】
被係止部はセードの内側面に設けられる凹部からなることを特徴とする請求項１又は２記載の照明器具。
【請求項６】
セードを合成樹脂製としたことを特徴とする請求項５記載の照明器具。
【発明の詳細な説明】
【０００１】
【発明の属する技術分野】
本発明は、照明器具に関するものである。
【０００２】
【従来の技術】
従来の照明器具の一例を図４に示す。この従来例は所謂ペンダント型の照明器具であって、ランプソケット２を具備する器具本体１と、筒状に形成されて器具本体１が内部に収納されるセード３’とを備えている。
【０００３】
器具本体１は互いに径が異なり且つ上下に配置された円柱形の小径部４及び大径部５を具備し、小径部４の上面中央からはランプソケット２に接続されたコード６が引き出されており、このコード６の先端に付設されているプラグ（図示せず）を天井に配設された引掛シーリング等に取り付けることで天井から吊り下げられる。また、大径部５の下面中央に略コ字型の取付金具７が設けられ、この取付金具７の下端にランプソケット２が取り付けられている。なお、ランプソケット２及び取付金具７には両端が開口する円筒形のソケットカバー８が外挿されて取付ねじ９により取付金具７に固定されている。さらに、大径部５の側面には径方向に沿った複数のねじ孔５ａが周方向において等間隔に設けられている。
【０００４】
一方、セード３’はガラスや透光性を有する合成樹脂により上端（又は上端と下端）が開放した円筒形に形成され、周壁の上部には器具本体１の大径部５の側面に設けられたねじ孔５ａにそれぞれ対向する複数のねじ挿通孔３ａ’が貫設されている。このように構成されるセード３’を器具本体１に固定するに当たっては、セード３’の内部に器具本体１を挿入し、先端に雄ねじ部１０ａ’を有する円柱状の支持柱１０’をセード３’の外側からねじ挿通孔３ａ’に挿通し、その雄ねじ部１０ａ’を大径部５のねじ孔５ａに螺合することで支持柱１０’を器具本体１に固定し、器具本体１に固定された支持柱１０’の後端部をねじ挿通孔３ａ’からセード３’の外に突出させて支持柱１０’によりセード３’を支持するようになっていた。
【０００５】
【発明が解決しようとする課題】
上述のように従来の照明器具においては、セード３’のねじ挿通孔３ａ’に外側から挿通した支持柱１０’を器具本体１にねじ止めする構造であるから、支持柱１０’を器具本体１に固定する際の指や工具の掛かり代を確保するために支持柱１０’の後端部をねじ挿通孔３ａ’からセード３’の外側に突出させなければならず、セード３’を取り付けた状態においても支持柱１０’がセード３’の外側に突出して見栄えが悪く、意匠を損ねるという問題があった。
【０００６】
本発明は上記事情に鑑みて為されたものであり、その目的は、外観上の見栄えを良くした照明器具を提供することにある。
【０００７】
【課題を解決するための手段】
請求項１の発明は、上記目的を達成するために、ランプソケットを具備する器具本体と、筒状に形成されて器具本体が内部に収納されるセードと、基端が器具本体に固定されるとともにセードの内側面に設けられた被係止部に係止する係止部を先端に具備する１乃至複数の支持柱とを備え、支持柱の係止部がセードの外側面から突出しない構造としたことを特徴とする。
【０００８】
請求項２の発明は、請求項１の発明において、支持柱は、器具本体に対してセードと接離する方向へ進退自在に取り付けられることを特徴とする。
【０００９】
請求項３の発明は、請求項１又は２の発明において、被係止部はセードを内外に貫通する貫通孔からなることを特徴とする。
【００１０】
請求項４の発明は、請求項３の発明において、セードをガラス製としたことを特徴とする。
【００１１】
請求項５の発明は、請求項１又は２の発明において、被係止部はセードの内側面に設けられる凹部からなることを特徴とする。
【００１２】
請求項６の発明は、請求項５の発明において、セードを合成樹脂製としたことを特徴とする。
【００１３】
【発明の実施の形態】
（実施形態１）
本発明の実施形態を図１及び図２を参照して詳細に説明する。但し、本実施形態の基本的な構造は従来例と共通であるから、共通の構成要素には同一の符号を付して説明を省略する。
【００１４】
本実施形態の照明器具も所謂ペンダント型であって、例えば白熱灯のような光源２ａが着脱自在に装着されるランプソケット２を具備した器具本体１と、筒状に形成されたセード３とを備えている。また、器具本体１の小径部４から引き出されたコード６の先端部には椀型のフランジ１１が取り付けられている。このフランジ１１は底面中央に開口する挿通孔を通してコード６が内側に引き込まれており、コード６の先端に付設されているプラグ並びにプラグが接続される引掛シーリング等を内側に収めて覆い隠すものである。
【００１５】
器具本体１の大径部５の側面には３つのねじ孔５ａが等間隔に設けられており、各ねじ孔５ａには支持柱１０の雄ねじ部１０ａが螺合させてある。支持柱１０は全体が円柱状であって、基端側に雄ねじ部１０ａが設けられるとともに先端には他の部位よりも細い（直径が短い）係止部１０ｂが設けられている。そして、雄ねじ部１０ａを大径部５のねじ孔５ａに螺合させることで、支持柱１０が器具本体１に対してセード３と接離する方向へ進退自在に取り付けられる。
【００１６】
セード３はガラスや合成樹脂などの透光性を有する部材によって円筒形に形成され、器具本体１に取り付けられた支持柱１０の係止部１０ｂが挿入係止する複数の被係止部たる貫通孔３ａが貫設されている。
【００１７】
次にセード３を器具本体１に固定する手順を説明する。まず、セード３の内部に器具本体１を挿入し、大径部５のねじ孔５ａから雄ねじ部１０ａが退出する方向に回動させて支持柱１０の先端（係止部１０ｂ）をセード３に近付く向きに移動させる。そして、支持柱１０の係止部１０ｂをセード３の周壁に貫設した貫通孔３ａに挿入することで被係止部たる貫通孔３ａに係止部１０ｂを係止すれば、器具本体１に固定された支持柱１０によってセード３を支持させることができる。このとき、支持柱１０の係止部１０ｂが貫通孔３ａを通してセード３の外側面に突出しないように係止部１０ｂの寸法を設定しているから、セード３’の外側面に支持柱１０’の端部が突出する従来例に比較して外観上の見栄えを良くすることができる。また、支持柱１０の係止部１０ｂをセード３の内側から被係止部（貫通孔３ａ）に係止する構造としたため、貫通孔３ａに支持柱１０を挿通する必要がないから貫通孔３ａの内径を支持柱１０の外径よりも小さく且つ係止部１０ｂの外径よりも大きい寸法とすればよく、貫通孔３ａが目立ち難いという利点もある。
【００１８】
（実施形態２）
本実施形態は、図３に示すようにセード３に設ける被係止部を凹部３ｂとした点に特徴があり、これ以外の構成は実施形態１と共通である。
【００１９】
複数の凹部３ｂはセード３の周壁上部の内側面における支持柱１０と対向する位置にそれぞれ設けられている。なお、凹部３ｂを設けるための加工のし易さを考慮すれば、セード３はガラス製よりもアクリル樹脂等の透光性を有する合成樹脂製とすることが望ましい。
【００２０】
而して、支持柱１０の係止部１０ｂを被係止部たる凹部３ｂに係止することで器具本体１に固定された支持柱１０にセード３を支持させることができる。しかも、本実施形態では被係止部を凹部３ｂとしたことから、実施形態１のようにセード３の外側面に被係止部（貫通孔３ａ）が露出しないことから外観上の見栄えが一層良くなるという利点がある。
【００２１】
【発明の効果】
請求項１の発明は、ランプソケットを具備する器具本体と、筒状に形成されて器具本体が内部に収納されるセードと、基端が器具本体に固定されるとともにセードの内側面に設けられた被係止部に係止する係止部を先端に具備する１乃至複数の支持柱とを備え、支持柱の係止部がセードの外側面から突出しない構造としたことを特徴とし、支持柱の係止部がセードの外側面から突出しないために外観上の見栄えが良くなる。
【００２２】
請求項２の発明は、請求項１の発明において、支持柱は、器具本体に対してセードと接離する方向へ進退自在に取り付けられることを特徴とし、セードを器具本体に固定する際には支持柱を器具本体から退出させて先端の係止部をセードの被係止部に係止すればよいから、従来例のように支持柱の外径よりも大きい孔をセードに設ける必要が無い。
【００２３】
請求項３の発明は、請求項１又は２の発明において、被係止部はセードを内外に貫通する貫通孔からなることを特徴とし、被係止部を簡単に設けることができる。
【００２４】
請求項４の発明は、請求項３の発明において、セードをガラス製としたことを特徴とし、請求項３の発明と同様の効果を奏する。
【００２５】
請求項５の発明は、請求項１又は２の発明において、被係止部はセードの内側面に設けられる凹部からなることを特徴とし、セードの外側面に被係止部が露出しないことから外観上の見栄えが一層良くなる。
【００２６】
請求項６の発明は、請求項５の発明において、セードを合成樹脂製としたことを特徴とし、請求項５の発明と同様の効果を奏する。
【図面の簡単な説明】
【図１】実施形態１を示し、（ａ）は一部省略した縦断面図、（ｂ）は横断面図である。
【図２】同上の平面図である。
【図３】実施形態２を示す一部省略した縦断面図である。
【図４】従来例を示す一部省略した縦断面図である。
【符号の説明】
１　器具本体
２　ランプソケット
３　セード
３ａ　貫通孔
５ａ　ねじ孔
１０　支持柱
１０ａ　雄ねじ部
１０ｂ　係止部
【図１】
2004047313.tif 000003
【図２】
2004047313.tif 000004
【図３】
2004047313.tif 000005
【図４】
2004047313.tif 000006